(57)【要約】【課題】投光素子からの赤外光が外観形状で反射して受光素子に入ることで、近接検知センサーが誤動作し、表示装置が誤消灯してしまう問題を解消することを可能にした撮像装置を提供すること。【解決手段】対象物に光を投光する投光部１０２と、前記対象物からの反射光を受光する受光部１０３で構成された撮影者の近接を検知する近接検知手段１０１を有する撮像装置において、前記近接検知手段１０１の投光部１０２の一部を覆うマスク部材１０４を有し、該マスク部材１０４によって光束の一部が遮光されることで光束が前記対象物以外の形状で反射しないことを特徴とする。【選択図】図４
2016103684.tif 000002
【特許請求の範囲】
【請求項１】
対象物に光を投光する投光部１０２と、前記対象物からの反射光を受光する受光部１０３で構成された撮影者の近接を検知する近接検知手段１０１を有する撮像装置において、
前記近接検知手段１０１の投光部１０２の一部を覆うマスク部材１０４を有し、該マスク部材１０４によって光束の一部が遮光されることで光束が前記対象物以外の形状で反射しないことを特徴とする撮像装置。
【請求項２】
前記近接検知手段１０１は、投光部１０２と受光部１０３を一体化したパッケージで構成され、マスク部材１０４は投光部１０２と受光部１０３の間に遮蔽部１１２を設けることを特徴とした請求項１に記載の撮像装置。
【請求項３】
前記マスク部材１０４は付勢部１１１を備え、マスク部材１０４自身を前記近接検知手段１０１に対して付勢して位置決めされることを特徴とした請求項１に記載の撮像装置。
【請求項４】
前記撮像装置はファインダ３を備え、前記近接検知手段１０１は、前記ファインダ３に対して脱着可能なアイカップ５近傍に配置されることを特徴とした請求項１に記載の撮像装置。
【発明の詳細な説明】
【技術分野】
【０００１】
本発明は、物体の近接を検知する近接検知装置および近接検知機能を有する撮像装置に関する。
【背景技術】
【０００２】
従来の撮像装置では、背面に表示装置(ＴＦＴ)を有し、撮影中の画像を表示したり、設定を行うために利用されている。
【０００３】
ファインダを有する撮像装置においては、ファインダ撮影を行いたいとき、前記表示装置がファインダに近い位置で点灯状態にあると、眩しく撮影の妨げとなる。そのため、撮影者がファインダ近傍に存在することを検知する近接検知機能を有する撮像装置が提案されている。従来の撮像装置では、近接検知センサーをファインダ近傍に搭載し、その近接検知状態により、表示装置の消灯制御を行っている。 一般的な近接検知センサーは投光素子（赤外ＬＥＤ）から赤外光を投光し、撮影者で反射した赤外光を受光素子（フォトダイオード）で検知して近接検知を行っている。
【０００４】
撮像装置に搭載される近接検知センサーは赤外光の配光が広いものから狭いものまで数多く存在する。課題として、近接検知センサーの赤外光の配光が広い場合、赤外光の照射範囲に外観形状の一部が存在すると、そこで反射した赤外光が、受光素子に入り、表示装置が誤消灯してしまう場合がある。例えば、ファインダにアイカップを取り付けると、アイカップで反射した赤外光が、受光素子に入り、近接検知センサーが誤動作してしまい、表示装置を誤消灯させてしまう。また、この課題に対して近接検知センサーの赤外光の配光に合わせて、外観形状に赤外光が反射しないように離れた位置に近接検知センサーを配置すると、撮像装置のボディサイズが大きくなってしまう。
【０００５】
特許文献１によれば、大型の表示部を配置する際に制約を受けずに操作部材に近接検知センサーを配置する方法が開示されている。ファインダの近傍に配置される操作部材に近接検知センサーを配置することを特徴としている。
【先行技術文献】
【特許文献】
【０００６】
【特許文献１】特開２０１１-６１２８８号公報
【発明の概要】
【発明が解決しようとする課題】
【０００７】
しかしながら、上記の特許文献１の場合も、近接検知センサーの赤外光の配光が広い場合や赤外光の照射範囲に外観形状の一部が存在すると、そこで反射した赤外光が、受光素子に入り、表示装置が誤消灯してしまう。
【０００８】
本発明の目的は、投光素子からの赤外光が外観形状で反射して受光素子に入ることで、近接検知センサーが誤動作し、表示装置が誤消灯してしまう問題を解消することを可能にした撮像装置を提供することにある。
【課題を解決するための手段】
【０００９】
上記の目的を達成するために、本発明は、対象物に光を投光する投光部１０２と、前記対象物からの反射光を受光する受光部１０３で構成された撮影者の近接を検知する近接検知手段１０１を有する撮像装置において、
前記近接検知手段１０１の投光部１０２の一部を覆うマスク部材１０４を有し、該マスク部材１０４によって光束の一部が遮光されることで光束が前記対象物以外の形状で反射しないことを特徴とする。
【発明の効果】
【００１０】
本発明の撮像装置によれば、外観形状に影響されることなく、近接検知による適切な自動消灯が可能となる。
【図面の簡単な説明】
【００１１】
【図１】本発明の第一の実施例である撮像装置の背面図。
【図２】本発明の第一の実施例である撮像装置の断面図。
【図３】本発明の第一の実施例である撮像装置の分解図。
【図４】本発明の第一の実施例である撮像装置の構成図。
【図５】本発明の第一の実施例に係るマスクの説明図。
【発明を実施するための形態】
【００１２】
以下、本発明の好適な実施形態について、添付図面を参照して詳細に説明する。
【００１３】
［実施例１］
図１は本実施例の撮像装置本体であるデジタル一眼レフカメラ本体１（以下、カメラ本体）を後方（撮影者側）からみた背面図を示す。
【００１４】
カメラ本体１には、撮影画像等を確認可能な表示装置２が設けられている。表示装置２は、例えば３．０インチ程度のＴＦＴ液晶パネルなどから構成されている。カメラ本体１には、撮影者が被写体を観察しながら撮影するために用いられるファインダ３が設けられている。ファインダ３にはアイカップ５が取り付けられており、ファインダ３使用時に撮影者の目の周囲が接触することでアイポイントの安定化や周辺光の遮光、ファインダ３が顔や目に当たるのを防ぐ機能を果たしている。
【００１５】
近接検知部４は、後述の近接検知センサーが内蔵され、赤外光のみを透過させる窓が配置されている個所であり、ファインダ３の上方に設置される。撮影者がファインダ３を使用しているとき、近接検知部４によって、撮影者を検知できる位置であれば、設置位置は問わない。
【００１６】
図４に本実施例の撮像装置の構成を説明するための構成図を示す。近接検知センサー１０１は投光素子および受光素子が１つのパッケージに実装されている。投光素子は、電流を流した場合に主に赤外光を発光する赤外ＬＥＤであり、電流量に応じて発光出力を変化させることができる。受光素子は投光素子から投光された光が検知対象物などで反射した反射光を検知し、受光した光の波長や強度によって電流を発生させるフォトダイオードである。投光素子と受光素子は、上述のように１つのパッケージとされ、近接検知センサー１０１としてプリント配線基板１０５上に実装される。
【００１７】
近接検知センサー１０１の投光素子が配置されているレンズ開口部を投光部１０２、受光素子が配置されているレンズ開口部を受光部１０３とする。レンズ開口部はレンズが設けられなくてもよい。ここで、物体の近接を検知できる構造であれば、部品構成は問わない。近接検知センサー１０１は、実装されたプリント配線基板１０５の穴に固定部材１０６に設けられた位置決めボス１０７を挿入することで表示装置２と平行な面内で位置決めされる。
【００１８】
図２は図１のＡ断面図であり、図３は本実施例の撮像装置の構成を説明するための分解図である。図２、図３に示すように近接検知センサー１０１は表示装置２の面と垂直な方向には窓１０８の裏面で位置決めされている。窓１０８は外観面に配置され、赤外光を透過する材質で形成されている。窓１０８は固定部材１０６に窓１０８の爪１０９により固定されている。近接検知センサー１０１は上述のようにプリント配線基板１０５に実装されている。
【００１９】
これらプリント配線基板１０５、近接検知センサー１０１および後述のマスク１０４は固定部材１０６に取付けられた弾性部材１１０で窓１０８側へ付勢されて密着して固定保持されている。このように密着して固定保持することにより、近接検知センサー１０１のクロストーク（投光された赤外光が窓で反射し、受光素子へ入ること）を減少させ、受光素子が対象物から反射した光以外の光を受光することを防ぐことができ、近接検知センサー１０１が誤動作するのを防ぐ。
【００２０】
本発明の最も特徴的なところは図４に示すようにプリント配線基板１０５に実装された近接検知センサー１０１に投光部１０２の下部を覆う形状が設けられた樹脂製のマスク１０４が設定されるところである。 図５に本実施例に係るマスクの説明図を示す。
【００２１】
図４、図５に示すように、マスク１０４には遮光形状１１４が形成されている。図２で示す投光部１０２からの赤外光の配光下成分θを遮光し、光束が外観形状（アイカップ５）で反射しないようにしている。これにより、近接検知センサー１０１の投光部１０２からの赤外光の配光が広い場合やセンサーがアイカップ５に近い場合でも、赤外光のうちアイカップ５に照射される成分が遮光される。
【００２２】
このため、受光部１０３に入る反射光の内、撮影者などの近接物以外の成分を除外でき、誤動作することなく、近接検知することが可能である。また、マスク１０４を設定することによって、マスク１０４がない場合に比べ、近接検知センサー１０１をアイカップ５に近づけて配置することが可能となり、ボディサイズを小さくしたまま近接検知センサー１０１をアイカップ５近くに配置することが可能となる。マスク１０４はさらに以下機能も有している。
【００２３】
図４、図５に示すようにマスク１０４は、付勢部１１１と遮蔽部１１２を一体的に箱型に構成されている。遮蔽部１１２は近接検知センサー１０１の投光部１０２と受光部１０３の間に構成されている。そのため、センサーのクロストーク（投光された赤外光が窓で反射し、受光素子へ入ること）を減少させ、誤動作を防止することが可能となる。
【００２４】
付勢部１１１はマスク１０４に形成されたバネ形状部でマスク１０４自身を近接検知センサー１０１を直接付勢して、位置決めを行っている。そのため、近接検知センサー１０１の投光部１０２に対する遮光形状１１４の位置ずれを防止することが可能となる。さらにマスク１０４には逆組防止部１１３が構成され、組立時に反転させて組み立てると固定部材１０６の位置決めボス１０７がマスク１０４の逆組防止部１１３に干渉し、逆組できないようになっている。これにより、逆組されてマスクの遮光形状が、受光部１０３を遮光してしまわないように誤組防止の機能を果たしている。
【００２５】
本実施例では、近接検知センサー１０１の投光部１０２からの赤外光が外観形状（アイカップ５）で反射しないよう投光部１０２を覆う形状１１４がマスク１０４に構成される。このため、外観形状に影響されることなく、近接検知による適切な自動消灯が可能となる。
【００２６】
以上、本発明の好ましい実施形態について説明したが、本発明はこれらの実施形態に限定されず、その要旨の範囲内で種々の変形及び変更が可能である。
【符号の説明】
【００２７】
１  デジタル一眼レフカメラ本体、２  表示装置、３  ファインダ、４  近接検知部、
５  アイカップ、１０１  近接検知センサー、１０２  投光部、１０３  受光部、
１０４  マスク、１０５  プリント配線基板、１０６  固定部材、
１０７  位置決めボス、１０８  窓、１０９  爪、１１０  弾性部材、１１１  付勢部、
１１２  遮蔽部、１１３  逆組防止部、１１４  遮光形状
【図１】
2016103684.tif 000003
【図２】
2016103684.tif 000004
【図３】
2016103684.tif 000005
【図４】
2016103684.tif 000006
【図５】
2016103684.tif 000007